(57)【要約】【課題】酸化力の高い多量のＯＨラジカルを生成できる空気浄化装置を提供することを目的とする。【解決手段】水分を吸着する吸着材を担持したハニカム状のフィルター３を備え、前記ハニカム状のフィルター３の片面に網状の放電電極２を設け、もう片面にアース電極４を配設する構成としたもので、水分を吸着する厚みを持ったハニカム状フィルター３を、エッジ部分（コーナー部分）を多く持った網状の放電電極２とアース電極４で挟み電圧を印加すると、電極エッジ部分に放電のエネルギーが集中し、エッジ部分で放電しやすくなる。そして空気を通過させてハニカム状フィルター３に空気中の水分を吸着させると、ハニカム状フィルター３は通電しやすくなり、さらに放電しやすくなる。【選択図】図１
2005304762.tif 000002
【特許請求の範囲】
【請求項１】
水分を吸着する吸着材を担持したハニカム状のフィルターを備え、前記ハニカム状のフィルターの片面に網状の放電電極を設け、もう片面にアース電極を配設する構成とした空気浄化装置。
【請求項２】
水分を吸着する吸着材を担持したハニカム状フィルターを備え、前記ハニカム状のフィルターを放電電極とアース電極で挟み、さらに複数の開口部を有する絶縁部材で、前記放電電極を固定する構成とした空気浄化装置。
【請求項３】
水分を吸着するハニカム状フィルターを備え、前記ハニカム状のフィルターの片面に鋸歯状の放電電極を埋め込み固定し、もう片面にアース電極を配設する構成とした空気浄化装置。
【発明の詳細な説明】
【技術分野】
【０００１】
本発明は、放電により各種ラジカルやオゾン等を発生し、空気中の悪臭物質や有害物質、さらに細菌やウイルス等の除去を行う空気浄化装置に関するものである。
【背景技術】
【０００２】
従来、放電によって脱臭や殺菌を行う装置は、水蒸気を電極間で放電している放電領域部分に導入して、放電している空間で、放電により高速飛散している電子と水分子との衝突や紫外線等により、酸化力の強いＯＨラジカルを生成し、悪臭成分や有害物質の分解、さらには空気中の菌・ウイルスなどの不活化やＤＮＡ・ＲＮＡの破壊等を行い繁殖を防止させていた（例えば、特許文献１参照）。
【０００３】
また、放電によるイオン化やオゾン化された気体をある空間で発生させて、イオン化やオゾン化の相乗効果により、空間内の微生物の繁殖を防止させていた（例えば、特許文献２参照）。
【特許文献１】特開２００１−９６１９０号公報
【特許文献２】特開平９−２３４２３９号公報
【発明の開示】
【発明が解決しようとする課題】
【０００４】
しかしながら上記のような従来の構成で水蒸気を放電領域部分に導入し、酸化力の強いＯＨラジカルを生成するためには、放電している空間内で水の分子と放電により高速飛散している電子と衝突しないかぎりＯＨラジカルの多量生成はできない。
【０００５】
つまり、水蒸気を放電領域部分に送りこんだ場合、水の分子と放電領域部分で高速飛散している電子との衝突確立が高くないと多量のＯＨラジカルの生成は難しく、従来の方法では、一定の空間内で分子と電子が衝突する確立は極めて低いため、脱臭や除菌の効果も低いという問題を有している。
【０００６】
本発明は、上記課題を解決するもので、酸化力の高い多量のＯＨラジカルを生成できる空気浄化装置を提供することを目的とする。
【課題を解決するための手段】
【０００７】
上記課題を解決するために本発明の空気浄化装置は、水分を吸着する吸着材を担持したハニカム状のフィルターを備え、前記ハニカム状のフィルターの片面に網状の放電電極を設け、もう片面にアース電極を配設する構成としたもので、多量に水分を吸着したハニカム状のフィルターの放電密度が上がり、吸着材中の水分と放電により発生した高速飛散する電子との衝突確立を増やすことができる。さらに空気中より導入されてきた水分は、ハニカム状フィルターの空間内でも高速飛散する電子と衝突する確立が上がることになる。これにより、酸化力の高い多量のＯＨラジカルを生成させることができ、通過気体中の悪臭成分や有害物質の分解、空気中の菌・ウイルスなどの不活化やＤＮＡ・ＲＮＡの破壊等を行い繁殖の防止や脱臭・除菌効率の向上もできる。
【０００８】
また、本発明の空気浄化装置は、水分を吸着する吸着材を担持したハニカム状フィルターを備え、前記ハニカム状のフィルターを放電電極とアース電極で挟み、さらに複数の開口部を有する絶縁部材で、前記放電電極を固定する構成としたもので、絶縁部材の格子部（開口部）周辺の電極に放電のエネルギーが集中するため、絶縁部材の格子部周辺での電極が放電しやすくなる。そして空気を通過させてハニカム状フィルターに空気中の水分を
吸着させると、ハニカム状フィルターは通電しやすくなり、さらに放電しやすくなる。
【０００９】
また、本発明の空気浄化装置は、水分を吸着するハニカム状フィルターを備え、前記ハニカム状のフィルターの片面に鋸歯状の放電電極を埋め込み固定し、もう片面にアース電極を配設する構成としたもので、鋸歯固定用の専用保持具が不要となり、鋸歯の高さ分厚みを薄くすることができる。また、ハニカム状フィルター表面に、沿うように設置すると鋸歯の高さ分、通風抵抗が大きくなるが、ハニカム状フィルター表面に埋め込むことにより、通風抵抗を小さくできる。
【発明の効果】
【００１０】
本発明によれば、酸化力の高い多量のＯＨラジカルを生成できる空気浄化装置を提供できる。
【発明を実施するための最良の形態】
【００１１】
第１の発明は、水分を吸着する吸着材を担持したハニカム状のフィルターを備え、前記ハニカム状のフィルターの片面に網状の放電電極を設け、もう片面にアース電極を配設する構成としたもので、水分を吸着する厚みを持ったハニカム状フィルターを、エッジ部分（コーナー部分）を多く持った網状の放電電極とアース電極で挟み電圧を印加すると、電極エッジ部分に放電のエネルギーが集中し、エッジ部分で放電しやすくなる。そして空気を通過させてハニカム状フィルターに空気中の水分を吸着させると、ハニカム状フィルターは通電しやすくなり、さらに放電しやすくなる。
【００１２】
また、ハニカム状フィルターは電極間の放電領域部にあるため、放電により発生した高速飛散している電子等とハニカム状フィルターの空間内の水分子との衝突確立が増加する。また、ハニカム状フィルター表面に吸着された水分と電子との衝突確立も増えるため、ＯＨラジカルを多量に生成する。
【００１３】
第２の発明は、水分を吸着する吸着材を担持したハニカム状フィルターを備え、前記ハニカム状のフィルターを放電電極とアース電極で挟み、さらに複数の開口部を有する絶縁部材で、前記放電電極を固定する構成としたもので、水分を吸着するハニカム状フィルターを網状の放電電極とアース電極で挟み、さらに複数の格子状に加工した絶縁部材で電極を固定して電圧を印加すると、絶縁部材の格子部周辺の電極がエッジと同じ効果を有し、放電のエネルギーが集中し、絶縁部材の格子部周辺の電極が放電しやすくなる。そして空気を通過させてハニカム状フィルターに空気中の水分を吸着させると、ハニカム状フィルターは通電しやすくなり、さらに放電しやすくなる。
【００１４】
また、ハニカム状フィルターは電極間の放電領域部にあるため、放電により発生した高速飛散している電子等とハニカム状フィルターの空間内の水分子との衝突確立が増加する。また、ハニカム状フィルター表面の水分と電子の衝突確立も上がるため、ＯＨラジカルを多量に生成する。
【００１５】
第３の発明は、水分を吸着するハニカム状フィルターを備え、前記ハニカム状のフィルターの片面に鋸歯状の放電電極を埋め込み固定し、もう片面にアース電極を配設する構成としたもので、鋸歯状の電極の取り付けは、鋸歯をもう一方の網状電極に向けるようにしてハニカム状フィルターに埋め込み固定してあるが、この様に固定することにより、鋸歯固定用の専用保持具が不要となり、鋸歯の高さ分、厚みを薄くすることができる。また、ハニカム状フィルター表面に沿うように設置すると、鋸歯の高さ分、通風抵抗が大きくなるが、ハニカム状フィルター表面に埋め込むことにより、通風抵抗を小さくできる。
【００１６】
以下、本発明の実施の形態について、図面を参照しながら説明する。なお、この実施の
形態によって本発明が限定されるものではない。
【００１７】
（実施の形態１）
以下、本発明の実施の形態１について、図面を用いて説明する。図１に、本発明の第１の空気浄化装置の斜視図を示す。１は空気浄化装置、２は放電電極、３はハニカム状フィルター、４はアース電極、５は電極への印加用電源装置である。
【００１８】
以上のような構成において、以下その詳細について説明する。
【００１９】
空気浄化装置１は、線径が約０.１mmのラスメタル網製の放電電極２とアース電極４の間に、板厚５ｍｍのゼオライト吸着材を担持してあるハニカム状フィルター３が設けられている。電極間隔は、電源装置５で印加電圧を３〜７ｋＶで行っているため、アーク放電が発生しないように調整している。
【００２０】
この空気浄化装置１を空気調和機の風回路内に設置し、風回路上流部から風を通過させると、ハニカム状フィルター３にゼオライト吸着材を担持してあるため、通過空気中の水分が吸着される。この時、エッジ部分（コーナー部）を多く有する網状の放電電極２を、風が通電すると、放電電極２のエッジ部分に放電のエネルギーが集中し、エッジ部分で放電しやすくなる。これにより放電領域内のハニカム状フィルター３は放電密度が増加するとともに、ハニカム状フィルター３の空間内での水分子と放電で発生した高速飛散する電子との衝突確立が増す。
【００２１】
また、ハニカム状フィルター３の表面に吸着された水分と電子との衝突確立も増し、ＯＨラジカルが多量に発生する。その結果、臭気物質や有害物質、菌・ウイルスなどを含む気体が電極間の放電領域部分を通過する時、高速飛散する電子の衝突や多量のＯＨラジカルの強力な酸化力等で、臭気成分や有害物質の分解、菌・ウイルスなどの不活化、ＤＮＡ・ＲＮＡの破壊等を行い繁殖を防止することができ、脱臭・除菌性能を向上することができるという作用を有する。
【００２２】
水分を吸着する厚みを持ったハニカム状フィルター３を、エッジを多く持たせた網状の放電電極２とアース電極４との間に挟み放電することで、前記放電電極２のエッジ部に放電のエネルギーが集中し、確実に安定した放電を発生させることができる。さらに空気を通過させることで、ハニカム状フィルター３に水分を吸着させ、水分を含んだ状態で放電すると、ハニカム状フィルター３は電極間の放電領域部にあるため、放電密度が増加し高速飛散している電子との衝突確立が増加する。
【００２３】
また高速飛散している電子等がハニカム状フィルター３の表面の水分子との衝突確立も増加するため、ＯＨラジカルが多量に生成される。その結果、ＯＨラジカルはオゾンよりも酸化力が強いため、臭気物質や有害物質、菌・ウイルスなどを含む気体が、電極間の放電領域部分を通過する時、多量のＯＨラジカルの強力な酸化力等で、臭気成分や有害物質の分解、菌・ウイルスなどの不活化、ＤＮＡ・ＲＮＡの破壊等を行い繁殖を防止することができる。
【００２４】
（実施の形態２）
次に、第２の発明を図面を用いて説明する。図２は本発明の第２の空気浄化装置の斜視図を示す。１１は空気浄化装置、１２は放電電極、１３はハニカム状フィルター、１４は絶縁部材、１５はアース電極、１６は電極への印加用電源装置である。
【００２５】
以上のような構成において、以下その詳細について説明する。
【００２６】
空気浄化装置１１は、線径が約０.１mmのラスメタル網製の放電電極１２とアース電極１５の間に、板厚５ｍｍのゼオライト吸着材を担持してあるハニカム状フィルター１３を挟んで構成されている。さらに、放電電極１２は、複数の開口部を有する格子状に加工された絶縁部材１４とハニカム状フィルター１３とで挟まれ固定されている。このように、絶縁部材１４で、前記放電電極１２を挟み固定することで、絶縁部材１４の格子部周辺が放電電極１２に対しエッジの役割を成し、電源を印加することで放電のエネルギーが集中し、絶縁部材１４の格子部周辺の電極が放電しやすくなる。
【００２７】
この空気浄化装置１１を空気調和機の風回路内に設置し、風回路上流部から風を通過させると、ハニカム状フィルター１３にゼオライト吸着材を担持してあるため、通過空気中の水分が吸着され、ハニカム状フィルター１３は通電しやすくなるため、さらに放電しやすくなる。また、ハニカム状フィルター１３は、電極間の放電領域部にあるため、ハニカム状フィルター１３の放電密度が上がり、放電により発生した高速飛散している電子等とハニカム状フィルターの空間内の水分子との衝突確立が増加する。また、ハニカム状フィルター１３の表面の水分と電子との衝突確立も増加するため、ＯＨラジカルを多量に生成する。その結果、臭気物質や有害物質、菌・ウイルスなどを含む気体が電極間の放電領域部分を通過する時、高速飛散する電子の衝突や多量のＯＨラジカルの強力な酸化力等で、臭気成分や有害物質の分解、菌・ウイルスなどの不活化、ＤＮＡ・ＲＮＡの破壊等を行い繁殖を防止することができ、脱臭・除菌性能を向上することができる。
【００２８】
つまり、水分を吸着するハニカム状フィルター１３の両面を、網状の放電電極１２とアース電極１５で挟み、さらに複数の格子状に加工した絶縁部材１４で電極を固定して電圧を印加すると、絶縁部材１４の格子部周辺の電極がエッジと同じ効果を有し、放電のエネルギーが集中し、絶縁部材１４の格子部周辺の電極が放電しやすくなる。そして空気を通過させて、ハニカム状フィルター１３に空気中の水分を吸着させると、ハニカム状フィルター１３は通電しやすくなり、さらに放電しやすくなる。
【００２９】
また、ハニカム状フィルター１３は、電極間の放電領域部にあるため、放電密度が上がる。これにより、放電により発生した高速飛散している電子等とハニカム状フィルターの空間内の水分子との衝突確立が増加する。また、ハニカム状フィルター１３の表面の水分と電子の衝突確立も増加するするため、ＯＨラジカルを多量に生成する。その結果、ＯＨラジカルは、オゾンよりも酸化力が強いため、臭気物質や有害物質、菌・ウイルスなどを含む気体が電極間の放電領域部分を通過する時、多量のＯＨラジカルの強力な酸化力等で、臭気成分や有害物質の分解、菌・ウイルスなどの不活化、ＤＮＡ・ＲＮＡの破壊等を行い繁殖を防止することができる。
【００３０】
（実施の形態３）
次に、第３の発明を図面を用いて説明する。図３に本発明の第３の空気浄化装置の斜視図を示す。２１は空気浄化装置、２２は放電電極、２３はハニカム状フィルター、２４はアース電極、２５は電極への印加用電源装置である。
【００３１】
以上のような構成において、以下その詳細について説明する。
【００３２】
空気浄化装置２１は、鋸歯状の放電電極２２を水分を吸着するゼオライト吸着材を担持してあるハニカム状フィルター２３の片面に、鋸歯をもう一方の網状の放電電極２４に向けるようにしてハニカム状フィルター２３に埋め込み固定してある。鋸歯状の放電電極２２の取り付けは、このようにすることにより、鋸歯固定用の専用保持具が不要となり、また鋸歯の高さ分厚みを薄くすることが可能となる。また、ハニカム状フィルター２３の表面に、沿うように設置すると、鋸歯状の放電電極２２の高さ分、通風抵抗が大きくなるが、ハニカム状フィルター２３の表面に埋め込むことにより通風抵抗が少なくなる。これに
より、空気調和機等に搭載した場合、性能低下の心配がなく、薄型の空気浄化装置が可能となる。
【００３３】
以上のように、吸着材を担持したハニカム状フィルター２３で、放電領域部分の表面積を増やし、さらに電極部分にエッジを多く持たせることで、確実に放電を発生させて酸化力の強いＯＨラジカルを大量発生させることができ、ワンパスの脱臭や除菌性能を向上することができるものである。
【産業上の利用可能性】
【００３４】
本発明にかかる空気浄化装置は、酸化力の高い多量のＯＨラジカルを生成できるので、空気浄化機能として空気清浄機や空気調和機に搭載すると特に有用である。
【図面の簡単な説明】
【００３５】
【図１】本発明の第１の実施の形態の空気浄化装置の斜視図
【図２】本発明の第２の実施の形態の空気浄化装置の斜視図
【図３】本発明の第３の実施の形態の空気浄化装置の斜視図
【符号の説明】
【００３６】
１、１１、２１  空気浄化装置
２、１２、２２  放電電極
３、１３、２３  ハニカム状フィルター
４、１５、２４  アース電極
５、１６、２５  流路上流部
１４…絶縁部材
【図１】
2005304762.tif 000003
【図２】
2005304762.tif 000004
【図３】
2005304762.tif 000005